(57)【要約】【課題】    本発明は、自転車の街乗りやサイクリング、また、ウォーキングや散策などでの縦列状態に於けるグループ内のコミュニケーションをはかる手段として。さらに、迷子、子供の連れ去りや誘拐事件などを抑止するために、容易に装着できる近距離無線通信兼緊急通報装置を提供する。【解決手段】  本発明は、マイク２、イヤホン３、アンテナ４、メインスイッチ７、緊急信号発信スイッチ１２、太陽電池パネル５を、通信装置本体１に一体で設けて耳掛け式とし、該本体１内には蓄電池６と、通常のコミュニケーション手段に使用する送信回路／受信回路ユニット１１を設ける。さらに、非常時にのみ作動させる緊急信号発信回路１３を併設する。【選択図】図１
2008167344.tif 000002
【特許請求の範囲】
【請求項１】
通信装置本体を形成する外周カバーの最下部に、長さ１５ｃｍ〜２０ｃｍ程度の中空状アームを中間部固定の形態で設け、該アームの前方先端部（口元部）にマイク、該マイクと反対方向先端部（耳後方部）にアンテナを併設してバランスをとり、耳掛け式としたことを特徴とする近距離無線通信兼緊急通報装置。
【請求項２】
通信装置本体を形成する内面カバーにイヤホンを設け、該カバーをスライド回転させることで、該イヤホンを耳穴に嵌合調節できるようにしたことを特徴とする請求項１の近距離無線通信兼緊急通報装置。
【請求項３】
通信装置本体内に、常時複数方向との交信を可能にする送信回路と受信回路を設けるとともに、非常時に通報をおこなうための緊急信号発信回路を併設したことを特徴とする請求項１の近距離無線通信兼緊急通報装置。
【請求項４】
通信装置本体を形成する外面カバーに電源用の太陽電池パネルを設けるとともに、該電池パネルで発電した余剰電気を蓄えておくための蓄電池を該本体内に備えたことを特徴とする請求項１の近距離無線通信兼緊急通報装置。
【発明の詳細な説明】
【技術分野】
【０００１】  本発明は、複数台による自転車の街乗りやサイクリングに於いての縦列走行、また、複数人によるウォーキングや散策時の縦列歩行に於いて、グループ内のコミュニケーションが安全、且つ、容易にはかれ、さらに、迷子の防止、子供の連れ去りや誘拐事件など、犯罪の抑止にも役立つ近距離無線通信兼緊急通報装置に関するものである。
【背景技術】
【０００２】  従来は、自転車の街乗りやサイクリング、また、ウォーキングや散策など、縦列状態に於いてグループ内のコミュニケーションをはかる容易な手段が無く、横に並んで会話するか、前方や後方に離れた仲間とは大きな声で会話するしか方法がなかった。【０００３】  自転車の並列走行は、並進可の標識のあるところ以外は道路交通法違反であり、ウォーキングや散策などに於いても、前述の行為は他の歩行者などの迷惑となり思わぬトラブルを引き起こす要因となっていた。さらに、人混みなどでの迷子、また、子供の連れ去りや誘拐事件などを未然に防ぐ容易な手段がなかった。
【発明の開示】
【発明が解決しようとする課題】
【０００４】  本発明は、前述のような事例の問題点に鑑みてなされたもので、自転車の街乗りやサイクリング、また、ウォーキングや散策などに於いて、容易に装着できる近距離無線通信兼緊急通報装置でグループ内のコミュニケーションをはかる。さらに、迷子、子供の連れ去りや誘拐事件などの発生を未然に防止しようとするものである。
【課題を解決するための手段】
【０００５】  本発明は、送信／受信回路と緊急信号発信回路を内蔵した通信装置本体に、マイク、イヤホン、アンテナ、メインスイッチ、緊急信号発信スイッチ、耳掛けアームを一体で設けて耳掛け式とし、着脱を容易にする。さらに、該本体の外面カバーに太陽電池パネルを付設して光発電によって駆動させることで、長時間連続通話を可能にする。【０００６】  よって、ハンズフリーでの常時複数方向との交信が可能になり、また、非常時には緊急信号を防犯関係団体や契約してある警備会社などに通報するとともに、携行している携帯電話を介して設定した他の電話にも通報し、前述の問題点の改善をはかる。
【発明の効果】
【０００７】  前述のように構成された、近距離無線通信兼緊急通報装置を装着することで、自転車の街乗りやサイクリング、また、ウォーキングや散策など縦列状態に於けるグループ内のコミュニケーションを容易にする。さらに、迷子、子供の連れ去りや誘拐事件などの犯罪も未然に防ぐ可能性が広がる。
【発明を実施するための最良の形態】
【０００８】  本発明の目的を達成するために、送信／受信回路、緊急信号発信回路、蓄電池を内蔵した通信装置本体に、マイク、イヤホン、アンテナ、メインスイッチ、緊急信号発信スイッチ、耳掛けアームを一体で設けて耳掛け式とし、該本体の外面カバーに付設した太陽電池パネルによる電気で該各回路を駆動させ、常時複数方向との交信及び緊急信号の発信を可能にする。以下、本発明の近距離無線通信兼緊急通報装置の実施の形態を添付した図面を参照して説明する。
【実施例１】
【０００９】  図２に示すように、通信装置本体１に近距離無線通信用のマイク２、イヤホン３、アンテナ４、メインスイッチ７と、耳掛けアームアジャスタ９を介して耳掛けアーム８を設けて構成される。
【実施例２】
【００１０】  図３に示すように、通信装置本体１の外面カバー部に設けた太陽電池パネル５で発電した電気を駆動用電源として使用する。余剰電気は、図１に示す蓄電池６に充電し、該電池パネル５の発電量不足時に予備電源として使用する。
【実施例３】
【００１１】  本発明の、近距離無線通信兼緊急通報装置を装着する場合は、耳掛けアーム８を耳に掛け、内面カバー１０をスライド回転させてイヤホン３を耳穴位置に合わせて嵌め、耳掛けアームアジャスタ９を調節して耳に固定する。結果として、通信装置本体１の前後に配置したマイク２とアンテナ４で前後の重量バランスをとるので、脱落しにくく安定した装着が可能となる。
【実施例４】
【００１２】  緊急時、通信装置本体１を耳からはずして強く引っ張ると、図５のように首に掛けた落下防止用首掛けひも輪１４で緊急信号発信スイッチ１２が入り、図１に示す緊急信号発信回路１３が作動し、防犯関係団体や契約してある警備会社などに緊急信号を通報する。また、携行している携帯電話を介して設定した他の電話にも緊急通報する。
【産業上の利用可能性】
【００１３】  従来は、グループでの自転車の街乗りやサイクリング、また、ウォーキングや散策などに於いて、グループ内のコミュニケーションをはかるために並列状態になるなど、他の人の迷惑となっていた。さらに、迷子、子供の連れ去りや誘拐事件などの犯罪を未然に防ぐことが難しかった。そこで、本発明の近距離無線通信兼緊急通報装置によれば、グループ内のコミュニケーションが容易にはかれるとともに、迷子、子供の連れ去りや誘拐事件など、犯罪の抑止に役立つ。
【図面の簡単な説明】
【００１４】
【図１】本発明の構成図である。
【図２】本発明の装着時に於いての内側側面図である。
【図３】本発明の装着時に於いての外側側面図である。
【図４】本発明の装着時に於いての平面図である。
【図５】本発明の使用実施例を表す側面図である。
【符号の説明】
【００１５】１    通信装置本体
２    マイク
３    イヤホン
４    アンテナ
５    太陽電池パネル
６    蓄電池
７    メインスイッチ
８    耳掛けアーム
９    耳掛けアームアジャスタ
１０  内面カバー
１１  送信回路／受信回路ユニット
１２  緊急信号発信スイッチ
１３  緊急信号発信回路
１４  落下防止用首掛けひも輪
１５  ひも輪留め具
【図１】
2008167344.tif 000003
【図２】
2008167344.tif 000004
【図３】
2008167344.tif 000005
【図４】
2008167344.tif 000006
【図５】
2008167344.tif 000007